(57)【要約】  少なくとも二つのプラスチック材料フィルムで構成され、かつ、印刷が施された、熱成形可能なラミネートにおいて、偽造に対する防護性を強化するための印刷が、プラスチック材料フィルム間のラミネート内に配置されている。  好ましいラミネートは、−フィルムＡ／印刷／積層用手段／フィルムＣ、又は、−フィルムＡ／印刷／積層用手段／フィルムＢ／積層用手段／フィルムＣ、又は、−フィルムＡ／印刷／積層用手段／フィルムＢ／積層用手段／印刷／フィルムＣ、という構造を有する。【特許請求の範囲】
【請求項１】
少なくとも二つのプラスチック材料フィルムで構成され、かつ、印刷を有する、熱成形可能なラミネートにおいて、前記印刷が、偽造に対する防護性を強化するために、前記プラスチック材料フィルムの間のラミネートの内部に配置されていることを特徴とする、熱成形可能なラミネート。
【請求項２】
請求項１に記載された熱成形可能なラミネートにおいて、前記ラミネートは、
−フィルムＡ／印刷／積層用手段／フィルムＣ、又は、
−フィルムＡ／印刷／積層用手段／フィルムＢ／積層用手段／フィルムＣ、又は、
−フィルムＡ／印刷／積層用手段／フィルムＢ／積層用手段／印刷／フィルムＣ
のように構成されているこを特徴とする、前記熱成形可能なラミネート。
【請求項３】
請求項２に記載された熱成形可能なラミネートにおいて、前記フィルムＡ、Ｂ及び／又はＣは、塩素化炭化水素、クロロフルオロカーボン、ポリオレフィン、ポリエチレンテレフタレート、ポリアクリロニトリル、シクロオレフィン  コポリマー、シクロオレフィン  ポリマー、ポリサルフォン又は生物学的に分解可能なプラスチック材料を主材料とする、熱成形可能なプラスチック材料フィルムであり、又は、これらのプラスチック材料フィルムの組み合わせであることを特徴とする、前記熱成形可能なラミネート。
【請求項４】
請求項1乃至３のうちのいずれか一項に記載された熱成形可能なラミネートによって構成された、熱成形された容器、特にブリスター基底部品、又は広口容器。
【請求項５】
請求項４に記載された熱成形された容器及び広口容器の医薬品及び医療品の包装のための使用。
【発明の詳細な説明】
【技術分野】
【０００１】
本発明は、少なくとも二つのプラスチック材料フィルムによって構成され、かつ、印刷が施された、熱成形可能なラミネートに関するものである。
【背景技術】
【０００２】
熱成形可能なプラスチック材料ラミネートには、成形の前又は後に、顧客情報のために印刷を施すことができる。容器や広口容器に熱成形される前のラミネートに対する印刷は、現在の印刷方法では、主として容器内壁に行われる。プラスチック材料ラミネートが、その熱成形前に印刷される場合には、下地に対する印刷染料の接着力が、成形度合の関数として減少するため、その印刷は、成形中に、又は、物流中に、程度の差はあるがラミネート表面から分離する可能性がある。
【０００３】
従来の印刷の二つの事例では、印刷は、包装の外面を形成するラミネート表面に配置されているため、印刷を包装から除去することが可能であり、かつ、新たな情報を押印することによって容易に置き換えることができるという点で、種々の偽造のために接近し易い。
【０００４】
予め印刷されたラミネートを使用するときには、プラスチック材料フィルムとプラスチック材料で作られたラミネートは商業的にほぼ無制限に入手可能であるから、これらのラミネートが偽造者によって製造される可能性がある。
【発明の開示】
【発明が解決しようとする課題】
【０００５】
本発明は、冒頭に述べた形式の印刷を有する熱成形可能なラミネートであって、従来の印刷された熱成形可能なラミネートと比較して、偽造に対する防護性の程度が十分に高い熱成形可能なラミネートを提供するという目的に基礎を置く。
【課題を解決するための手段】
【０００６】
偽造に対する防護性を強化するため、隣接するプラスチック材料フィルムの間に印刷を配置することによって、本発明の目的が達成される。
【０００７】
本発明によるラミネートは、次の構造を有することが望ましい。すなわち、
−フィルムＡ／印刷／積層用手段／フィルムＣ、又は、
−フィルムＡ／印刷／積層用手段／フィルムＢ／積層用手段／フィルムＣ、又は、
−フィルムＡ／印刷／積層用手段／フィルムＢ／積層用手段／印刷／フィルムＣ
という構造である。
【０００８】
これらのフィルムＡ、Ｂ、Ｃは、熱成形可能なプラスチック材料フィルムであり、これらの熱成形可能なプラスチック材料フィルムは、ポリ塩化ビニル及びポリ塩化ビニリデンのような塩素化炭化水素や、例えばＡＣＬＡＲ（登録商標）のようなクロロフルオロカーボンや、ポリオレフィンや、ポリエチレン・テレフタレートや、例えばＢＡＲＥＸ（登録商標）のようなポリアクリロニトリルや、シクロオレフィン  コポリマーや、シクロオレフィン  ポリマーや、ポリサルフォンや、生物学的に分解可能なプラスチック材料を主材料とし、又は、ラミネート内のこれらのプラスチック材料の組み合わせを主材料とする、熱成形可能なプラスチック材料フィルムである。ＰＶＤＣ（ポリ塩化ビニリデン）は、フィルム又はコーティングになり得る。
【０００９】
前述のラミネートの全体の厚さは約１５０乃至５００μｍであり、また、ＰＶＣ／ＰＥラミネートは約９０乃至１５０μｍである。
【００１０】
このラミネーションは、水性の積層用接着剤を用いて行われ、溶剤性又は非溶剤性の積層用接着剤を用いて行われ、及び／又は、単押出し又は共押出しのような押出しラミネーションによって行われる。ＰＥ又はＰＰを有するＣＯＣ又はＣＯＰラミネートの場合には、ラッカーラミネーション或いは共押出による部分ラミネートの生成が推奨される。
【００１１】
個々の層間の接着剤は、少なくとも２  Ｎ／１５  ｍｍでなければならない。
【００１２】
前述の印刷のために、着色されたフィルムを使用する場合には、印刷画像の色は、適当な色を選択することによって変更することができる。例えば、黄色に着色されたフィルムの青焼きは、緑色のように見える印刷画像となる。このような色彩の組み合わせによって、印刷されたラミネートの偽造に対する防護性を更に向上させることができる。
【実施例】
【００１３】
本発明による前記ラミネートの好ましいフィルムの組み合わせは、表１に記載のとおりである。これらのフィルムの主材であるプラスチック材料の略称は、次のとおりである。
ＰＶＣ      ポリ塩化ビニル
ＰＶＤＣ    ポリ塩化ビニリデン
ＰＡＮ      ポリアクリロニトリル
ＰＥ        種々の密度のポリエチレン。そのメタロセンを含む。
ＰＰ        ポリプロピレン。そのメタロセンを含む。
ＣＯＣ      シクロオレフィンコポリマー
ＣＯＰ      シクロオレフィンポリマー
ＰＳＵ      ポリサルフォン
ＰＣＴＦＥ  ポリクロロトリフルオロエチレン
ＥＶＯＨ    エチレン−ビニルアルコール
ＰＧＡ      ポリグリコール酸
【００１４】
前述のラミネートから熱成形された容器、特に、医薬品及び医療品を包装するのに好ましいブリスター基底部品や広口容器（ビーカー）は、本発明による熱成形可能なラミネートの好ましい応用領域である。
【００１５】
【表１】
2009509795.tif 000002
【国際調査報告】
2009509795.tif 000003
2009509795.tif 000004
2009509795.tif 000005
2009509795.tif 000006